(57)【要約】【課題】所要時間内に利用者の好みに応じてニュースを提供することができるニュース提供システムを実現すること。【解決手段】同報ネットワーク５００を介して接続されたサーバ装置３００と端末装置１００とを備える。サーバ装置３００は、放送局４００から受信したニュースデータを基に、利用者の好みのニュースに関する情報、ニュースの詳細度およびニュースの再生時間を有する付加データを生成し、ニュースデータおよび付加データを端末装置１００に送信する。端末装置１００は、付加データを基に、外部から入力されて設定された所要時間内に収まるように、利用者の好みのニュースに関する情報に応じて詳細度を異ならせたニュースを並べ替えて再生する。【選択図】図１
2006325182.tif 000002
【特許請求の範囲】
【請求項１】
同報ネットワークを介して接続されたサーバ装置と端末装置とを備えたニュース提供システムであって、
前記サーバ装置は、ニュース源から受信したニュースデータを基に、利用者の好みのニュースに関する情報、ニュースの詳細度およびニュースの再生時間を有する付加データを生成し、前記ニュースデータおよび前記付加データを前記端末装置に送信し、
前記端末装置は、前記付加データを基に、外部から入力されて設定された所要時間内に収まるように、前記利用者の好みのニュースに関する情報に応じて前記詳細度を異ならせたニュースを並べ替えて再生することを特徴とするニュース提供システム。
【請求項２】
前記利用者の好みが大きくなるに従って前記ニュースの詳細度が詳しくなり、前記利用者の好みの順番にニュースを並べ替えて再生することを特徴とする請求項１記載のニュース提供システム。
【請求項３】
同報ネットワークを介して接続されたサーバ装置と端末装置とを備えたニュース提供システムであって、
前記サーバ装置は、ニュース源から受信したニュースデータを基に、利用者の好みのニュースに関する情報、ニュースの詳細度およびニュースの再生時間を有する付加データを生成し、前記ニュースデータおよび前記付加データを前記端末装置に送信し、
前記端末装置は、前記付加データを基に、外部から入力されて設定された所要時間内に収まるように、前記利用者の好みのニュースに関する情報に応じて前記詳細度を異ならせたニュースを並べ替えた上で、前記利用者の好みのニュースに関する情報に応じてニュースを提供する速度を変化させてニュースを再生することを特徴とするニュース提供システム。
【請求項４】
同報ネットワークを介して接続されたサーバ装置と端末装置とを備えたニュース提供システムであって、
前記サーバ装置は、ニュース源から受信したニュースデータを基に、利用者の好みのニュースに関する情報、ニュースの詳細度およびニュースの再生時間を有する付加データを生成し、前記ニュースデータおよび前記付加データを前記端末装置に送信し、
前記端末装置は、前記付加データを基に、外部から入力されて設定された所要時間内に収まるように、前記利用者の好みのニュースに関する情報に応じて前記詳細度を異ならせたニュースを並べ替えた上で、前記利用者の好みのニュースに関する情報に応じて文字の大きさを異ならせてニュースを再生することを特徴とするニュース提供システム。
【請求項５】
同報ネットワークを介して端末装置と接続されるサーバ装置であって、
ニュース源からニュースデータを受信する受信部と、
受信された前記ニュースデータを基に、利用者の好みのニュースに関する情報、ニュースの詳細度およびニュースの再生時間を有する付加データを生成する付加データ作成部と、前記ニュースデータおよび前記付加データを蓄積する蓄積部と、蓄積された前記ニュースデータおよび前記付加データを前記端末装置に送信する送信部と、を備えたことを特徴とするサーバ装置。
【請求項６】
同報ネットワークを介してサーバ装置と接続される端末装置であって、前記サーバ装置からニュースデータ、および利用者の好みのニュースに関する情報、ニュースの詳細度ならびにニュースの再生時間を有する付加データを受信する受信部と、前記ニュースデータおよび前記付加データを蓄積する蓄積部と、前記利用者の好みのニュースに関する情報および前記ニュースの詳細度を管理する利用者設定管理部と、前記付加データと外部から入力されて設定された所要時間とを基に、前記ニュースデータの再生リストを作成する再生リ
スト作成部と、外部から入力されて設定された所要時間内に収まるように、前記再生リストに従って前記蓄積部に蓄積された前記ニュースデータを読み出しニュースを再生する再生制御部と、を備えたことを特徴とする端末装置。
【請求項７】
前記利用者の好みが大きくなるに従って前記ニュースの詳細度が詳しくなり、前記利用者の好みの順番にニュースを並べ替えて再生することを特徴とする請求項６に記載の端末装置。
【請求項８】
前記ニュースをスキップする再生スキップ操作手段を備え、前記再生スキップ操作手段の操作に基づき、前記付加データと前記所要時間とを基に、前記再生リストを再度作成することにより、前記所定時間内にわたって前記利用者の好みの順番にニュースを並べ替えて再生することを特徴とする請求項６に記載の端末装置。
【請求項９】
前記ニュースをスキップする再生スキップ操作手段を備え、前記再生スキップ操作手段の操作に基づき、スキップされたニュースに関連付けられた前記付加データの利用者の好みのニュースに関する情報およびニュースの詳細度の変更を自動的に行うことを特徴とする請求項６に記載の端末装置。
【発明の詳細な説明】
【技術分野】
【０００１】
本発明は、ニュース源からのニュースを利用者の好みに応じて、利用者に提供するニュース提供システム、サーバ装置および端末装置に関する。
【背景技術】
【０００２】
従来のラジオ等のニュース提供装置では、ニュースはニュース源である放送局の作成した順番どおりに受信、再生されており、ニュースを利用者の好みの順番で視聴することができなかった。しかしながら、現在ではインターネット等が普及し、テレビドラマや映画等の映像に関してサーバ装置から配信され、視聴することも見受けられるようになってきた。
【０００３】
一方、テレビドラマや映画等の映像に関しては、利用者にとって視聴する時間が限られる等の理由からダイジェストを作成し視聴するという流れも出てきている。このようなシステムでは、ダイジェストをどのようにして作成するかという方式について様々な検討がなされている。例えば、従来では、映像情報の内容に伴ってダイジェストを抽出するだけではなく、利用者の好みに重み付けを行い、ダイジェストを作成するような装置が提案されている（例えば、特許文献１参照）。
【０００４】
特許文献１に記載された装置は、プロ野球の試合を１つの例とし、利用者の好みのチーム、特定の選手、視聴時間等の情報を特定のルール情報として作成し、映像情報に関連付けたインデックス情報を参照して、視聴時間内のダイジェスト番組を作成するものである。
【特許文献１】特開２０００−２６１７５４号公報
【発明の開示】
【発明が解決しようとする課題】
【０００５】
しかしながら、上記のダイジェスト作成方法をニュースに適用しようとすると、ニュースの順番に関しては放送局が作成した順番のままになってしまう。
【０００６】
また、車両で移動する場合等は渋滞等によって目的地までの到着時間が変化し、利用者（ドライバー等）にとって聞きたくないニュースばかり再生され、利用者は聞きたいニュースが聞けないうちに目的地に到着することがしばしばある。
【０００７】
本発明は所要時間内に利用者の好みに応じてニュースを提供することができるニュース提供システム、サーバ装置および端末装置を提供するものである。
【課題を解決するための手段】
【０００８】
本発明のニュース提供システムは、同報ネットワークを介して接続されたサーバ装置と端末装置とを備えたニュース提供システムであって、前記サーバ装置は、ニュース源から受信したニュースデータを基に、利用者の好みのニュースに関する情報、ニュースの詳細度およびニュースの再生時間を有する付加データを生成し、前記ニュースデータおよび前記付加データを前記端末装置に送信し、前記端末装置は、前記付加データを基に、外部から入力されて設定された所要時間内に収まるように、前記利用者の好みのニュースに関する情報に応じて前記詳細度を異ならせたニュースを並べ替えて再生する。
【０００９】
この構成によって、所要時間内に収まるように、利用者の好みに応じた詳細度を有するニュースを並び替えて提供することができる。
【００１０】
本発明のニュース提供システムは、前記利用者の好みが大きくなるに従って前記ニュースの詳細度が詳しくなり、前記利用者の好みの順番にニュースを並べ替えて再生する。
【００１１】
この構成によって、ニュースを利用者が好きな順番に再生することができる。
【００１２】
本発明のニュース提供システムは、同報ネットワークを介して接続されたサーバ装置と端末装置とを備えたニュース提供システムであって、前記サーバ装置は、ニュース源から受信したニュースデータを基に、利用者の好みのニュースに関する情報、ニュースの詳細度およびニュースの再生時間を有する付加データを生成し、前記ニュースデータおよび前記付加データを前記端末装置に送信し、前記端末装置は、前記付加データを基に、外部から入力されて設定された所要時間内に収まるように、前記利用者の好みのニュースに関する情報に応じて前記詳細度を異ならせたニュースを並べ替えた上で、前記利用者の好みのニュースに関する情報に応じてニュースを提供する速度を変化させて再生する。
【００１３】
これによって、利用者の好みの順番に、利用者が聞きたいと思う詳細度でニュースを提供することができる。
【００１４】
本発明のニュース提供システムは、同報ネットワークを介して接続されたサーバ装置と端末装置とを備えたニュース提供システムであって、前記サーバ装置は、ニュース源から受信したニュースデータを基に、利用者の好みのニュースに関する情報、ニュースの詳細度およびニュースの再生時間を有する付加データを生成し、前記ニュースデータおよび前記付加データを前記端末装置に送信し、前記端末装置は、前記付加データを基に、外部から入力されて設定された所要時間内に収まるように、前記利用者の好みのニュースに関する情報に応じて前記詳細度を異ならせたニュースを並べ替えた上で、前記利用者の好みのニュースに関する情報に応じて文字の大きさを異ならせてニュースを再生する。
【００１５】
これによって、利用者の好みの順番に、利用者が知りたいと思う詳細度で提供することができる。
【００１６】
本発明のサーバ装置は、同報ネットワークを介して端末装置と接続されるサーバ装置であって、ニュース源からニュースデータを受信する受信部と、受信された前記ニュースデータを基に、利用者の好みのニュースに関する情報、ニュースの詳細度およびニュースの再生時間を有する付加データを生成する付加データ作成部と、前記ニュースデータおよび前記付加データを蓄積する蓄積部と、蓄積された前記ニュースデータおよび前記付加データを前記端末装置に送信する送信部とを備えた。
【００１７】
この構成によって、端末装置にニュース源からのニュースデータおよび付加データ作成部により生成した付加データを送信することができる。
【００１８】
本発明の端末装置は、同報ネットワークを介してサーバ装置と接続される端末装置であって、前記サーバ装置からニュースデータ、および利用者の好みのニュースに関する情報、ニュースの詳細度ならびにニュースの再生時間を有する付加データを受信する受信部と、前記ニュースデータおよび前記付加データを蓄積する蓄積部と、前記利用者の好みのニュースに関する情報および前記ニュースの詳細度を管理する利用者設定管理部と、前記付加データと外部から入力されて設定された所要時間とを基に、前記ニュースデータの再生リストを作成する再生リスト作成部と、外部から入力されて設定された所要時間内に収まるように、前記再生リストに従って前記蓄積部に蓄積された前記ニュースデータを読み出しニュースを再生する再生制御部とを備えた。
【００１９】
この構成によって、所要時間内に収まるように、利用者の好みに応じた詳細度を有するニュースを並び替えて提供することができる。
【００２０】
本発明の端末装置は、前記利用者の好みが大きくなるに従って前記ニュースの詳細度が詳しくなり、前記利用者の好みの順番にニュースを並べ替えて再生する。
【００２１】
この構成によって、ニュースを利用者の好きな順番に再生することができる。
【００２２】
本発明の端末装置は、前記ニュースをスキップする再生スキップ操作手段を備え、前記再生スキップ操作手段の操作に基づき、前記付加データと前記所要時間とを基に、前記再生リストを再度作成することにより、前記所定時間内にわたって前記利用者の好みの順番にニュースを並べ替えて再生する。
【００２３】
この構成によって、ニュース再生中、利用者の好みでないニュースをスキップし、スキップした後にも、所要時間内にわたって利用者の好みに応じた詳細度を有するニュースを並び替えて提供することができる。
【００２４】
本発明の端末装置は、前記ニュースをスキップする再生スキップ操作手段を備え、前記再生スキップ操作手段の操作に基づき、スキップされたニュースに関連付けられた前記付加データの利用者の好みのニュースに関する情報およびニュースの詳細度の変更を自動的に行う。
【００２５】
この構成によって、利用者がニュースの好みに関する変更情報を記録しなくても、再生スキップ操作手段の操作に基づき、ニュースの好みに関する情報を自動的に更新することができる。
【発明の効果】
【００２６】
本発明のニュース提供システム、サーバ装置および端末装置によれば、所要時間内に収まるように、利用者の好みに応じた詳細度を有するニュースを並び替えて提供することができる。
【発明を実施するための最良の形態】
【００２７】
以下、本発明の実施の形態について、図面を参照しながら説明する。
【００２８】
（実施の形態１） 
図１は本発明の実施の形態１におけるニュース提供システムの構成図である。
【００２９】
図１において、本発明の実施の形態１におけるニュース提供システムは、車両等に搭載されニュースの再生を行う端末装置１００と、車両等に搭載され端末装置１００に情報を提供するナビゲーション装置等の車載端末２００と、後述するニュース源から受信したニュースデータを基に、利用者の好みのニュースに関する情報、ニュースの詳細度およびニュースの再生時間を有する付加データを生成し、この付加データをニュースデータとともに送信するサーバ装置３００と、ニュースを提供するニュース源としての放送局４００と、サーバ装置３００から端末装置１００にニュースデータ等を送信する同報ネットワーク網５００と、放送局４００からサーバ装置３００にニュースデータを送信する同報ネットワーク網６００とを有する。ここで、上記付加データにおける利用者の好みのニュースに関する情報には、ジャンル、キーワード等を含む。また、ニュースデータとは、ニュースおよびジャンル等の情報を含む。
【００３０】
図２に示すように、端末装置１００は、ニュースデータおよび付加データを受信する受
信部１０１と、受信したニュースデータおよび付加データの情報を蓄積する蓄積部１０２
と、メモリー等の蓄積部１０２に情報を蓄積する際に、付加データを管理するＣＰＵ等の蓄積管理部１０３と、利用者（ドライバー）の好みのニュースのジャンル、キーワード等およびニュースの詳細度を管理する利用者設定管理部１０４と、利用者の好みのニュースのジャンル、キーワード等とニュースの再生時間とを基に、所要時間内に収まるように再生する再生リスト１１４を作成する再生リスト作成部１０５と、再生リスト１１４に従って蓄積部１０２からニュースデータを読み出しニュースを再生する再生制御部１０６と、利用者がニュースを聞き始めるために押下する再生操作手段である再生ボタン１０７とからなる。
【００３１】
図１に示すように、車載端末２００は、従来のナビゲーションシステムに代表されるような現在位置情報、目的地情報および交通情報により、出発地から目的地までの時間を算出する所要時間算出部２０１を有している。
【００３２】
図３に示すように、サーバ装置３００は、放送局４００からニュースデータを受信する受信部３０１と、利用者により外部から入力されて設定された所要時間内に収まるように、受信部３０１で受信したニュースデータを基に、利用者の好みのニュースに関する情報、ニュースの詳細度およびニュースの再生時間を有する付加データを作成する付加データ作成部３０２と、作成されたニュースデータおよび付加データを蓄積する蓄積部３０３と、蓄積されたニュースデータを管理する管理部３０４と、ニュースデータおよび付加データを端末装置１００に送信する送信部３０５とからなる。
【００３３】
端末装置１００とサーバ装置３００とは、同報ネットワーク網５００を介して接続されており、一般におけるテレビやラジオ等の放送網と同様にブロードキャストされてデータを送受信できるようになっている。同様に、放送局４００とサーバ装置３００とは、同報ネットワーク網６００を介して接続されており、データを送受信できるようになっている。
【００３４】
次に、本実施の形態１のニュース提供システムの動作について説明する。
【００３５】
図３において、サーバ装置３００は、放送局４００から提供されたニュースデータを受信部３０１で受信すると、ニュースデータを付加データ作成部３０２に送信し、付加データ作成部３０２にて、所要時間内に収まるように、ニュースの詳細度とニュースの再生時間を有する付加データを作成する。すなわち、利用者が一番好みのニュースに対しては、最高の詳細度で最長の再生時間を設定し、好みの度合いが低下して行くに従って詳細度を低下し、再生時間も短縮し、一番好みでないニュースに対しては、最低の詳細度で最短の再生時間に設定した付加データを作成する。
【００３６】
例えば、「詳細」という詳細度（以下、最高の詳細度ともいう）であれば、送信されたニュースデータをすべて含むように記録して付加データを作成する（図５参照）。また、「簡易」という詳細度であれば、２〜３文で示した範囲を記録して付加データを作成する。さらに、「見出しのみ」という詳細度（以下、最低の詳細度ともいう）では、そのニュースを１文で表したニュースデータを抽出し、その１文で示した範囲を記録して付加データを作成する。
【００３７】
また、このニュースデータに関するニュースのジャンルやキーワードについても付加データに記録しておく。管理部３０４では、蓄積してあるニュースデータと、付加データ作成部３０２で作成した付加データとを送信部３０５から同報ネットワーク５００を経由して端末装置１００に送信する。
【００３８】
図２に示すように、端末装置１００は、受信部１０１にてニュースデータおよび付加データを受信すると、受信したこれらのデータを蓄積管理部１０３に送り、蓄積部１０２に蓄積しておく。
【００３９】
一方、利用者は、自分の好みのニュースのジャンル、キーワード等を端末装置１００内の利用者設定管理部１０４に設定しておく。その設定方法としては、キーボード、タッチパネル等を用いてもよいし、音声対話等を用いてもよい。
【００４０】
例えば、「○○」対して興味があれば、「○○」という特定のジャンルに対して、「詳細」という詳細度を、また、「△△」には興味がないというのであれば、「△△」というジャンルに対しては「見出しのみ」という詳細度をファイルに設定しておく。このようにして設定されたファイルを利用者設定管理部１０４で管理する。
【００４１】
利用者がニュースを聞きたい場合、端末装置１００の再生ボタン１０７を押下すると、再生リスト作成部１０５は、利用者設定管理部１０４から利用者設定管理部１０４で保持している利用者の好みのニュースのジャンル、キーワード等とニュースの詳細度の情報を示した利用者設定情報１１１を、また蓄積管理部１０３からは蓄積部１０２に蓄積してあるすべてのニュース情報の付加データを示した蓄積管理情報１１２を、また車載端末２００の所要時間算出部２０１からは、出発地から目的地までの所要時間情報１１３をそれぞれ取得する。
【００４２】
次に、再生リスト作成部１０５で取得したこれらの情報を基に、再生リスト１１４を作成する手順について、図４に示すフローチャートを用いて説明する。
【００４３】
まず、再生リスト作成部１０５は、取得しているすべてのニュース情報を最高の詳細度で再生した場合の総再生時間を算出する（ステップＳ７０１）。総再生時間が、利用者によって入力されて設定された所要時間内に収まれば（ステップＳ７０２、ＹＥＳ）、利用者の好みの順番に二ュースを並べ替えて（ステップＳ７０３）、終了する（再生リストの完成）。
【００４４】
一方、総再生時間が所要時間内に収まらなければ（ステップＳ７０２、ＮＯ）、利用者が最も好みではないジャンルに関して、その詳細度にあわせた再生時間とし、他のジャンルに関しては上記の再生時間のままですべてのニュースを再生した場合の総再生時間を算出する（ステップＳ７１１）。総再生時間が所要時間内に収まれば（ステップＳ７１２、ＹＥＳ）、ステップＳ７０３の処理を行い、終了する。
【００４５】
総再生時間が所要時間内に収まらなければ（ステップＳ７１２、ＮＯ）、すべてのニュースの詳細度が変更されているかどうかを判断し、変更されていなければ（ステップＳ７１３、ＮＯ）、利用者が次に好みではないジャンルについて、上記と同様の処理を繰り返し（ステップＳ７１１、ステップＳ７１２）、総再生時間が所要時間内に収まれば（ステップＳ７１２、ＹＥＳ）、ステップＳ７０３の処理を行い、終了する。
【００４６】
すべてのニュースの詳細度が変更されている場合（ステップＳ７１３、ＹＥＳ）には、利用者が最も好みでないジャンル、すなわち最低の詳細度のニュースについては再生しないものとし、そのニュースの再生時間を０とし、他のニュースに関しては上記の再生時間のままでニュースを再生した時の総再生時間を算出する（ステップＳ７１４）。
【００４７】
上記総再生時間が所要時間内に収まるかどうかを判断し（ステップＳ７１５）、収まれば（ステップＳ７１５、ＹＥＳ）、ステップＳ７０３の処理を行い、終了する。
【００４８】
上記総再生時間が所要時間内に収まらなければ（ステップＳ７１５、ＮＯ）、利用者が最も好みのニュースについてその詳細度をさらに１つ下げた再生時間で再生し、そのニュースの総再生時間を算出する（ステップＳ７２２）。
【００４９】
上記総再生時間が所要時間内に収まるかどうかを判断し（ステップＳ７２３）、収まれば（ステップＳ７２３、ＹＥＳ）、ステップＳ７０３の処理を行い、終了する。
【００５０】
上記総再生時間が所要時間内に収まらなければ（ステップＳ７２３、ＮＯ）、利用者が最も好みのニュースについてその詳細度をもう１つ下げた再生時間で再生し、そのニュースの総再生時間を算出する（ステップＳ７２２）。
【００５１】
以降、上記と同様の処理を繰り返し、総再生時間が所要時間内に収まれば（ステップＳ７１２、ＹＥＳ）、ステップＳ７０３の処理を行い、終了する。
【００５２】
なお、最後までいっても総再生時間が所要時間内に収まらなければ、最も聞きたいニュースでさえも、最低の詳細度でも再生できないこととなるため、再生しない。再生リストは、空にして終了する（ステップＳ７２５）。
【００５３】
なお、上記アルゴリズムで利用者の好みのニュースであるかどうかは付加データに付けられたニュースに対するジャンルやキーワードと、利用者設定管理部１０４から受信した利用者の好みのジャンルとをマッチングさせる等の方法で行うものとする。この方法についてもDPマッチング(動的計画法)、ルール方式等の方法が提案されているので、それらの手法を用いてもよい。
【００５４】
上記アルゴリズムによって作成された再生リストは、所要時間内に、ニュースを、利用者の好みの順番に、利用者が視聴したい詳細度で提供できるものになっている。
【００５５】
次に、再生リスト作成部１０５で作成される再生リスト１１４を作成する再生リストの具体例について説明する。
【００５６】
例えば、利用者設定情報１１１として、ニュースＡのジャンルについては「詳細」という詳細度（詳細度３）、ニュースＢのジャンルについては「見出しのみ」という詳細度（詳細度１）、ニュースＣのジャンルについては「簡易」という詳細度（詳細度２）の情報が与えられたものとする。この例では、詳細度は３段階であり、数値で示した詳細度は、現在示された値以下の詳細度のデータも再生するものとする。すなわち、詳細度３では、詳細度３、詳細度２および詳細度１のすべてのニュースが再生されるものとする。また、詳細度２では、詳細度２および詳細度１のニュースが再生されるものとする。このことについて、各ニュースの詳細度と再生時間との関係を示す図５を用いて説明する。つまり、例えばニュースＡにおいて、詳細度３であれば、詳細度１の内容（２分間）と、詳細度２の内容（１分間）と、詳細度３の内容（３分間）を再生し、合計６分間再生する。
【００５７】
ここで、蓄積管理情報１１２としては、３つのニュース（ニュースＡ、ニュースＢおよびニュースＣ）が蓄積部１０２に蓄積されているという情報を、また所要時間情報１１３として、所要時間１０分という情報を与えられたものとする。各ニュースの詳細度と再生時間との関係は、図５に示すとおりとする。このときは、以下のようになる。
【００５８】
ニュースＡ（詳細度３）＋ニュースＢ（詳細度３）＋ニュースＣ（詳細度３）
＝６＋３＋４＝１３分
これは、所要時間１０分を超えているので、次に、最も好みでないニュースＢの詳細度を、３から１に変更すると、
ニュースＡ（詳細度３）＋ニュースＢ（詳細度１）＋ニュースＣ（詳細度３）
＝６＋１＋４＝１１分
となる。
【００５９】
これも、まだ所要時間１０分を超えているので、さらに、ニュースＡの次に好みでないニュースＣの詳細度を、３から２に変更すると、
ニュースＡ（詳細度３）＋ニュースＢ（詳細度１）＋ニュースＣ（詳細度２） 
＝６＋１＋３＝１０分
となる。
【００６０】
これは、所要時間１０分以内に収まっているので、ステップＳ７０３において、ニュースを利用者の好みの順番、すなわちニュースＡ、ニュースＣおよびニュースＢの順番に並び替える。この結果、図６に示すような順番で各々詳細度を持ったニュースを再生する再生リスト１１４が作成されることとなる。
【００６１】
図２に示すように、作成された再生リスト１１４は、再生制御部１０６に送信される。再生リスト１１４を受信した再生制御部１０６は、蓄積部１０２から再生リスト１１４に記載されているニュースデータを読み出し、詳細度にあわせてニュースの再生を行う。
【００６２】
車両においては、渋滞等の発生により所要時間情報が変化することがしばしばある。このような場合、再生リスト作成部１０５で新しい所要時間情報１１２を基に、再生リスト１１４を作成し直す。ただし、今回は、すでに再生しているニュースデータが存在する。このため、以下のようなアルゴリズムで再生リストを作成するものとする。
【００６３】
すでに再生が終了しているニュース、および現在再生中のニュースについては、再生リストから除外する。
【００６４】
それ以外のニュースについて、図４に示すフローチャートに示す手順に従って処理を行う。
【００６５】
上記のアルゴリズムを実現することによって、所要時間が変化しても、所要時間内に収まるように、利用者の好みのニュースを好みの順番に好みの詳細度で再生することができる。
【００６６】
また、渋滞等によって所要時間、例えば目的地までの車両到着時間が変化した場合には、再度、ニュースの順番や、ニュースの内容を見直すことで、より必要な情報を入手することもできる。
【００６７】
さらに、受信部１０１から新しいニュースが蓄積部１０２に蓄積されたことがわかった場合、渋滞等によって所要時間情報、例えば目的地までの車両到着時間等が変化した場合、および利用者の好み、詳細度を変更した場合のうち、いずれかひとつ以上の事態が発生したときに、あらかじめ再生リストを作成しておけば、常に、利用者の好みの順番、詳細度でニュースが提供されることになる。
【００６８】
以上のように、本実施の形態１は、ニュースを、利用者の好みの順番に、利用者が聞きたいと思う詳細度で提供することができる。
【００６９】
（実施の形態２） 
本実施の形態２におけるニュース提供システムは、実施の形態１と基本的構成が同じであり、実施の形態１とは再生リスト作成部等が異なる。
【００７０】
実施の形態１では、利用者はニュースが聞きたいと思って端末装置１００の再生ボタン１０７を押下した後に、再生リストを作成する。しかしながら、上記の再生リストの作成には時間がかかる場合がある。
【００７１】
そこで、実施の形態２では、図２に示すように、あらかじめ与えられている情報を基に、作成可能な所まで再生リスト作成部１０５で再生リスト１１４を作成しておく。すなわち、再生ボタン１０７が押下されず、ニュースが提供されていなくても、車両が起動し、ナビゲーション装置等で目的地設定が行われている場合は、利用者設定情報１１１、蓄積管理情報１１２および所要時間情報１１３がすでに揃っているので、それらの情報を基に、再生ボタン１０７が押下されていなくても、再生リスト作成部１０５で再生リスト１１４をあらかじめ作成しておく。そして、再生ボタン１０７が押下されると、作成された再生リスト１１４を基に、ニュースが再生される。
【００７２】
以上のように、本実施の形態２は、あらかじめ再生リスト作成部１０５で再生リスト１１４を作成しておくことによって、再生ボタン１０７が押下された後は、作成された再生リスト１１４を基に、ニュースを再生するだけであり、ニュースを提供するまでの時間が大幅に短縮される。
【００７３】
（実施の形態３） 
本実施の形態３におけるニュース提供システムでは、実施の形態１とは端末装置の構成が異なっている。
【００７４】
すなわち、本実施の形態３は、図１に示される構成において、端末装置１００の代わりに、図７に示すように、端末装置７００を用いている点が実施の形態１とは異なっている。そして、端末装置７００は、端末装置１００の構成に、再生スキップ操作手段であるスキップボタン７０１が追加された形になっている。
【００７５】
本実施の形態３の基本的動作は、実施の形態１と同様である。本実施の形態３では、再生リスト作成部１０５で再生リスト１１４を作成し、ニュースの再生を行う所までは実施の形態１の動作と同様であるので、その説明を省略する。
【００７６】
実施の形態１では、「○○」という特定のジャンルに興味があるかどうかという観点から利用者の設定情報を設定した。しかしながら、「○○」というジャンルには興味があっても、そのジャンルの中で「△△」には興味がない等のような場合もあり、設定をきちんと行わないと、好みの順番で再生されないことも考えられる。本実施の形態３では、このような場合、利用者は、ニュースの再生中にスキップボタン７０１を押下すると、そのニュースをスキップし、次のニュースを再生する。
【００７７】
スキップボタン７０１で現在再生しているニュースをスキップしてしまうと、その時間だけ所要時間内に空きができることになる。このため、現在再生しているニュースを再生している間に次以降のニュースについて、以下のようなアルゴリズムで再生リストを再度作成する。
【００７８】
すでに再生が終了しているニュース、および現在再生中のニュースについては再生リストの中から除外する。
【００７９】
それ以外のニュースについて、図４に示すフローチャートの手順に従って処理を行う。
【００８０】
以上のように、本実施の形態３は、スキップボタン７０１が押下された場合でも、所要
時間内にわたって利用者の好みのニュースを好みの詳細度と順番で再生することができる。
【００８１】
（実施の形態４） 
本実施の形態４におけるニュース提供システムの基本的構成は、実施の形態３と同様であるので、その説明を省略する。
【００８２】
本実施の形態３では、図７に示すように、利用者がスキップボタン７０１を押下することによって、現在提供されているニュースをスキップさせることが可能であるが、スキップボタン７０１を押下するということは、その内容については利用者に興味がないということを示していることに他ならない。
【００８３】
上記の特徴を利用して、スキップボタン７０１が押下されたニュースに関連付けられている付加データを参照して、その項目に合致するニュースの優先度を自動的に下げる。例えば、前記のニュースの付加データの中に「△△」というキーワードがあり、かつ過去にも「△△」に関するニュースをスキップしたという場合は、「△△」に関してのニュースには興味がないことが想定される。このような場合、再生制御部１０６は、利用者設定管理部１０４に対して利用者の好みのニュースに関する情報およびニュースの詳細度の変更を自動的に行い、次からはスキップしたニュースの優先度を下げる等の処理を行う。
【００８４】
なお、本実施の形態４では、過去に同様の事例があったかどうかを判断基準にした例について説明したが、判断基準としては、一般のニューロコンピューティングや事例ベース推論等様々な推論方式を用いることができる。
【００８５】
以上のように、本実施の形態４では、利用者がわざわざ利用者設定管理部１０６に利用者設定情報１１１を記録しなくても、スキップボタン７０１の操作によって、ニュースに関する利用者の好みや詳細度を自動的に変更することができる。
【００８６】
（実施の形態５） 
本実施の形態５におけるニュース提供システムの基本的構成は、実施の形態１と同様であるので、その説明を省略する。
【００８７】
本実施の形態１では、ニュースごとに詳細度と再生時間を保持していて再生時間をもとにニュースの並び替えを実現したが、音声などでニュースを利用者に提供する場合、音声の読み上げ時間を変化させることも可能である。
【００８８】
利用者の好みが大きいニュースに関してはゆっくりとした再生速度で、またあまり好みではないニュースに関しては再生速度を早くして再生することで、利用者が聞きたいと思う詳細度を実現するものである。
【００８９】
以上のように、本実施の形態５では、利用者の好みによって利用者へのニュースの提供方法を再生速度を変化させることで、利用者の好みの順番に、利用者が聞きたいと思う詳細度で提供することができる。
【００９０】
（実施の形態６） 
実施の形態５では、音声の再生速度を変える場合の例について説明したが、本実施の形態６は、ニュースの提供を音声で行う代わりに、文字表示で行い、その文字の大きさを変える場合の例である。文字の大きさの変え方としては、利用者の好みが大きいニュースに関しては大きな文字で表示し、またあまり好みではないニュースに関しては小さな文字等で表示を行う。これによって、利用者が知りたいと思う詳細度を実現することができるも
のである。
【００９１】
以上のように、本実施の形態６では、利用者の好みによって利用者へのニュースの提供方法を文字の大きさを異ならせることで、利用者の好みの順番に、利用者が知りたいと思う詳細度で提供することができる。
【００９２】
なお、各実施の形態においては、ニュース提供を車両に居る利用者に対して行う場合について説明したが、本発明は端末装置等を携帯形等とし、通勤中、家庭内等での利用者に対するニュース提供を行う場合等にも実施することができる。
【産業上の利用可能性】
【００９３】
本発明にかかるニュース提供システム、サーバ装置および端末装置は、所要時間内に収まるように、利用者の好みに応じた詳細度を有するニュースを並び替えて提供することができるという効果を有し、ナビゲーション装置のニュース提供システム等として有用である。
【図面の簡単な説明】
【００９４】
【図１】本発明の実施の形態１におけるニュース提供システムの構成図
【図２】本発明の実施の形態１および実施の形態２におけるニュース提供システムの端末装置の構成を示すブロック図
【図３】本発明の実施の形態１におけるニュース提供システムのサーバ装置の構成を示すブロック図
【図４】本発明の実施の形態１におけるニュース提供システムの処理手順を示すフローチャート
【図５】本発明の実施の形態１におけるニュース提供システムのニュースデータの提供例を示す図
【図６】本発明の実施の形態１におけるニュース提供システムの再生リストの一例を示す図
【図７】本発明の実施の形態３および実施の形態４におけるニュース提供システムの端末装置の構成を示すブロック図
【符号の説明】
【００９５】
１００    端末装置
１０１    受信部
１０２    蓄積部
１０３    蓄積管理部
１０４    利用者設定管理部
１０５    再生リスト作成部
１０６    再生制御部
１０７    再生ボタン
１１１    利用者設定情報
１１２    蓄積管理情報
１１３    所要時間情報
１１４    再生リスト
２００    車載端末
２０１    所要時間算出部
３００    サーバ装置
３０１    受信部
３０２    付加データ作成部
３０３    蓄積部
３０４    管理部
３０５    送信部
４００    放送局
５００    同報ネットワーク網
６００    同報ネットワーク網
７００    端末装置
７０１    スキップボタン
【図１】
2006325182.tif 000003
【図２】
2006325182.tif 000004
【図３】
2006325182.tif 000005
【図４】
2006325182.tif 000006
【図５】
2006325182.tif 000007
【図６】
2006325182.tif 000008
【図７】
2006325182.tif 000009